(57)【要約】【課題】外付けされたＨＤＤユニットの電源をオフするようＩＥＥＥ１３９４端子を介して外付けされた機器を制御して消費電力を抑え、構成システム全体の消費出力を抑えているが、映像表示装置自身の消費電力を低減出来ないという課題が残っていた。【解決手段】電源管理部は、前記電気回路への電源供給の供給レベルを設定可能であって、前記接続端子から前記映像表示装置の電源がオフであるか、スクリーンセーバーが作動中であるか、前記映像信号が存在しないかの状態情報のいずれかを検知した場合には、電源供給レベルを省電力モードに設定するよう制御する接続された外付けの電子機器の状態を管理し、その状態に従って、制御を行う電子機器本体の消費電力を低減する【選択図】図１
2009032351.tif 000002
【特許請求の範囲】
【請求項１】
記録再生装置の特定の機能を有する各電気回路ブロックによって構成される電気回路と、前記電気回路に対して電源を供給する電源部と、該電源部の省電力モードを設定するための電源管理部と、外部に接続される映像表示装置の電源の動作状態を示すデジタル信号を前記電源管理部で受信するための信号路を併設すると共に該映像表示装置へ映像信号を出力するための信号路である接続端子とを有する記録再生装置において、
前記電源管理部は、前記電気回路への電源供給の供給レベルを設定可能であって、前記接続端子から前記映像表示装置の電源がオフであることを示すデジタル信号を受信するか、スクリーンセーバーが作動中であることを示すディジタル信号を受信するか、前記映像信号が存在しないかを検知した場合には、電源供給レベルを省電力モードに設定するよう制御することを特徴とする記録再生装置。
【請求項２】
前記接続端子が、ＨＤＭＩ規格に準拠している端子である請求項１に記載の記録再生装置。
【請求項３】
前記電気回路への電源供給が電気回路ブロック毎に制御できる請求項1乃至２に記載の記録再生装置。
【請求項４】
前記電気回路ブロックの一つが、蛍光表示管であって、前記省電力モードに設定されたとき、該蛍光表示管の輝度が変わる請求項1乃至３に記載の記録再生装置。
【請求項５】
記録再生装置の電気回路に設けられた蛍光表示管回路ブロックと、前記蛍光表示管回路ブロックに対して電源を供給する電源部と、前記電源供給に対して省電力モードを設定するための電源管理部と、外部に接続される映像表示装置の電源の動作状態を示すデジタル信号を前記記録再生装置のＣＰＵで受信するための信号路を併設すると共に該映像表示装置へ映像信号を出力するための信号路であるＨＤＭＩ規格に準拠した接続端子とを有する記録再生装置において、
前記電源管理部は、前記蛍光表示管への電源供給の供給レベルを設定することが可能であって、前記接続端子のホットプラグ端子を介して前記映像表示装置の電源がオフであることを示すデジタル信号を受信するか、または前記接続端子のＣＥＣ端子から前記映像表示装置において、スクリーンセーバーが作動中であることを示すデジタル信号を受信するか、あるいは前記映像信号が存在しない状態を検知した場合には、電源供給レベルを省電力モードに設定するよう制御することを特徴とする記録再生装置。
【発明の詳細な説明】
【技術分野】
【０００１】
本発明は、蛍光表示管を有する記録再生装置に関し、特に蛍光表示管を制御する省電力モード機能を有する記録再生装置に関する。
【背景技術】
【０００２】
従来から、環境問題への配慮から、電気製品の消費電力を抑える技術が検討されている。これらの技術の中で、電気製品内部をその機能によってブロックとして区分けを行い、ユーザーが所望する機能に対して動作不要な部分への電源供給を遮断するよう制御する技術がある。特許文献１には、HDDなどの記録再生装置を直列に接続し、記録再生装置に供給する電源のオン又はオフを管理し、記録再生装置に一定時間アクセスが無いときは、その記録再生装置の電源をオフするよう制御する映像表示装置が開示されている。
図６は特許文献１に係る実施例のブロック図である。図６を参照しながら特許文献１に記載の技術を説明する。本技術を搭載する映像表示装置６００は、チューナ部６０１、信号処理部６０３、映像表示器６０５、制御部６０７、メモリ部６０９、リモコン６１０と受光部６１１から構成され、複数の外付けＨＤＤユニット６１３、６１４および６１５と、ＩＥＥＥ１３９４端子６２１を介して接続されており、前記ＨＤＤユニット６１３、６１４および６１５のうちから任意のＨＤＤユニットに対して、チューナ部６０１で受信した映像および音声信号の記録を行っている。また前記ＨＤＤユニット６１３、６１４および６１５のうちから任意のＨＤＤユニットを再生し、映像表示器６０５に表示を行なっている。また、制御部６０７は、電源供給管理部６１７と記録再生装置状態管理部６１９を有する。電源部６２３は、HDDユニット６１３、６１４および６１５を含む前記の各ブロックに対して、電源を供給する。
記録再生装置状態管理部６１９は、複数の外付けＨＤＤユニット６１３、６１４および６１５の記録再生のアクセスをＩＥＥＥ１３９４端子６２１を介して検知し、一定時間アクセスがないときには、電源供給管理部６１７から前記一定時間アクセスのないＨＤＤユニットへの電源部６２３からの電源供給をオフする。
【特許文献１】特開２００７−１３４３７
【発明の開示】
【発明が解決しようとする課題】
【０００３】
特許文献１に記載の技術では、制御部を有する映像表示装置が、機器間で情報通信を行うことが可能なＩＥＥＥ１３９４端子を介して、外付けされたＨＤＤユニットのアクセス情報を検知し、アクセスが一定時間無い場合には、外付けされたＨＤＤユニットの電源をオフするようＩＥＥＥ１３９４端子を介してＨＤＤユニットの電源を完全にオフし、システムとしての消費電力を抑えることは出来たが、ＨＤＤユニットのすべての機能が使用不能となり、一部の機能を利用したいユーザーにとっては使い勝手が悪いという課題が残っていた。
本発明は前述のような課題に鑑み、接続された外付けの電子機器の状態を管理し、その状態に従って、制御を行う電子機器本体の消費電力を低減するとともに、電源制御される電子機器の最低限の機能は動作するよう制御可能な技術を提供することを目的とする。
【課題を解決するための手段】
【０００４】
上記目的を達成するために、記録再生装置において、記録再生装置の特定の機能を有する
各電気回路ブロックによって構成される電気回路と、前記電気回路に対して電源を供給する電源部と、該電源部の省電力モードを設定するための電源管理部と、外部に接続される映像表示装置の電源の動作状態を示すデジタル信号を前記記録再生装置のＣＰＵで受信するための信号路を併設すると共に該映像表示装置へ映像信号を出力するための信号路である接続端子とを有し、前記電源管理部は、前記電気回路への電源供給の供給レベルを設定可能であって、前記接続端子から前記映像表示装置の電源がオフであるか、スクリーンセーバーが作動中であるか、前記映像信号が存在しないかの状態情報のいずれかを検知した場合には、電源供給レベルを省電力モードに設定するよう制御する
記録再生装置において、前記接続端子は、ＨＤＭＩ規格に準拠している端子である。
記録再生装置において、前記電気回路への電源供給が電気回路ブロック毎に制御できる。
記録再生装置において、前記電気回路ブロックの一つが、蛍光表示管であって、前記電源管理部によって電源供給の供給レベルを調整することで、前記省電力モードのときの該蛍光表示管の輝度を調整する。
記録再生装置において、記録再生装置の電気回路に設けられた蛍光表示管回路ブロックと、前記蛍光表示管回路ブロックに対して電源を供給する電源部と、前記電源供給に対して省電力モードを設定するための電源管理部と、外部に接続される映像表示装置の電源の動作状態を示すデジタル信号を前記記録再生装置のＣＰＵで受信するための信号路を併設すると共に該映像表示装置へ映像信号を出力するための信号路であるＨＤＭＩ端子に準拠した接続端子とを有し、前記電源管理部は、前記蛍光表示管への電源供給の供給レベルを設定することが可能であって、前記接続端子のホットプラグ端子を介して前記映像表示装置の電源がオフであることを示すデジタル信号を受信するか、または前記接続端子のＣＥＣ端子から前記映像表示装置において、スクリーンセーバーが作動中であることを示すデジタル信号を受信するか、あるいは前記映像信号が存在しない状態を検知した場合には、電源供給レベルを省電力モードに設定するよう制御する。
前記の通り構成することにより、外付けされている機器の状態を検知し、機器の状態に応じて特定の電気的ブロックの消費電力を抑えるよう作用する。
【発明の効果】
【０００５】
請求項１に記載の発明によれば、外部に接続されている映像表示装置の状態を検知し、前記状態に応じて、特定の電気的ブロックのみを予め設定された省電力モードに設定することにより、記録再生装置の消費電力を低減することが可能となり、かつ、ユーザー必要とする機能は動作を継続させることが可能となる。
請求項２に記載の発明によれば、映像表示装置と接続するための端子をＨＤＭＩ規格に準拠させることで、外部機器の種々の状態情報を検知することが可能となる。
請求項３に記載の発明によれば、電気回路ブロック毎に電源供給を制御できるので、記録再生装置の動作状態に応じて動作不要な電気回路ブロックの電源供給をオフして効率的に検知することが可能となる。
請求項４に記載の発明によれば、蛍光表示管に省電力モードを設定し、前記省電力モードにおいて輝度を設定可能となる。
請求項５に記載の発明に寄れば、外部に接続されている映像表示装置の状態を検知し、前記状態に応じて、蛍光表示管の輝度を設定可能な省電力モードを設定することにより、記
録再生装置の消費電力を低減することが可能となり、かつ、ユーザー必要とする機能は動作を継続させることが可能となる。
【発明を実施するための最良の形態】
【０００６】
図１に、本発明の実施例に係る記録再生装置のブロック図を表す。実線で囲まれたブロック１００が記録再生装置本体を表し、記録再生装置１００は、  リモコン１０１、リモコン受光部１０２、ＣＰＵ１０３、ハードディスクドライブ１０４、ドライバＩＣ１０５、蛍光表示管１０６、映像／音声信号処理手段１０７、ＨＤＭＩ端子１０８、省電力モード設定手段１０９、記憶手段１１０、ＣＰＵ１０５内に設けられた状態検知手段１１１、各ブロックへ電源を供給する記録再生装置電源部１２０および各ブロックへの電源供給を制御する電源管理部１２１のブロックから構成される。破線で囲まれた部分１３０は電源供給を受ける、非活電ブロックを表す。各ブロックは、一つの装置内での機能を有し、それぞれが特定の役割を担う電気的ブロックを構成しており、記録再生装置電源部１２０から各ブロックそれぞれに対して、図示しない独立した電源供給ラインによって電源を供給されている。また、記録再生装置１００には映像表示装置１５０が接続され、映像表示装置１５０は電源部１５１を有する。
次に記録再生装置１００の再生動作を信号の流れに沿って説明する。リモコン１０１から再生命令がリモコン受光部１０２に送られ、リモコン受光部１０２からＣＰＵ１０３に命令が送られハードディスクドライブ１０４が再生を開始する。再生命令と同時にＣＰＵ１０３からドライバＩＣ１０５に対して蛍光表示管１０６を点灯するように指令が送られ、蛍光表示管１０６が点灯する。蛍光表示管１０６は、現在時刻、再生時間、再生モードなどを表示する。
次にハードディスクドライブ１０４で再生された信号は、映像／音声信号処理装置１０７で復号され、復号された映像／音声信号はＨＤＭＩ端子１０８を介して、記録再生装置１００の外部に接続された映像表示装置１５０に送られ、図示しない映像表示装置１５０の表示画面にハードディスクドライブ１０４で再生された映像信号が表示され、また、図示しない映像表示装置１５０のスピーカにハードディスクドライブ１０４で再生された音声信号が出力される。また省電力モード設定手段１０９は、リモコン１０１の図示しない専用キーによって設定され、設定されたデータがＣＰＵ１０３を介して記憶手段１１０に記憶される。
次に、図２はＨＤＭＩ端子のピン配置およびそれぞれのピンの信号名を表す。ＨＤＭＩ端子は、の映像信号と音声信号だけではなく、ＨＤＭＩ端子で接続された互いの機器同士で通信するための信号を扱うことが可能である。現在電源がオンされているかどうかの情報を出力するためのホットプラグ端子２０１や、電源情報以外の機器の状態を出力したり、一方の機器で他方の機器を制御するための信号を送るためのＣＥＣ端子２０２がある。
本発明に係る実施例においては、前記ホットプラグ端子２０１とＣＥＣ端子２０２を用いる。ホットプラグ端子２０１は、接続された機器の電源オンオフの状態情報を検知するようにＨＤＭＩ規格で定められている。また、ＣＥＣ端子は、ＨＤＭＩ規格によって特定の状態情報を検地するために定められてはおらず、機器の設計事項において、機器のあらゆる情報を検知するよう、設計することが可能なように、基礎的な情報規格のみが定められている。
次に図３は本発明の実施例に係る省電力モード設定動作のフローチャートを表す。また、図４は本発明の実施例に係る省電力モード設定画面を表す。図３のフローチャートを元に図４を参照しながら、省電力モード設定動作について説明を行う。まず図4に示す省電力モード設定するための画面を立ち上げ（ステップＳ３０１）、図４の４０１において、省
電力モードのオンかオフを設定する（ステップＳ３０２）。次に省電力モードにおける蛍光表示管の点灯する状態を図４の４０２、４０３および４０４から選択して設定する（ステップＳ３０３）設定する。ぞれぞれの項目における選択動作は、図示しないリモコンの左右上下キーにて□の欄を選択し、図示しない確定キーにて設定を行う。
次に図５は本発明の本実施例に係る省電力モードオンの動作フローチャートを表す。まず、ハードディスクレコーダの状態は、映像／音声を再生している状態である（ステップＳ５０１）。ここでＨＤＭＩ端子を介して記録再生装置の外部に接続されている映像表示装置の電源オンオフの状態をＨＤＭＩ端子のホットプラグ端子から監視する（ステップＳ５０２）。ステップＳ５０２で映像表示装置の電源がオフならば、そこにユーザーはいないと想定して省電力モードの設定を記憶手段から読み込み（ステップＳ５０３）、蛍光表示管を設定された状態に移行させる（ステップＳ５０４）。また、ステップＳ５０２において、映像表示装置がオンであったならば、映像表示装置の画面上が無信号状態であるかどうかを監視し（ステップＳ５０５）、無信号状態であると判断した場合には、同じくそこにユーザーはいないと想定して、ステップＳ５０３以降の省電力モードへの移行を行う。
また、ステップＳ５０５において、映像表示装置が無信号状態ではない場合には、映像表示装置の画面がスクリーンセーバーを表示しているかどうかを監視し、スクリーンセーバーが表示されていれば、そこにユーザーはいないと想定して、ステップＳ５０３以降の省電力モードに移行する。前記省電力モードに移行しても、蛍光表示管以外の機能は独立動作可能である。例えば、録画予約が設定されている場合で録画予約時間が来た場合には、ＣＰＵはハードディスクドライブを駆動して録画動作を開始することが可能である。また、ステップＳ５０６において、スクリーンセーバーが表示されていないと判断された場合には、ステップＳ５０１に戻って、前記ステップＳ５０２、Ｓ５０５およびＳ５０６の監視動作を続ける。
前記の通り、外部に接続されている機器の状態を検知することで、電子機器本体内部の特定のブロックのみの電源供給をオフすることで、消費電力の低減と、電子機器の最低限の機能の動作を維持することが可能となる。
なお、本実施例においては、記録再生装置内に備えられる電源の供給が制御される電気的ブロックを蛍光表示管１０６として説明したが、ハードディスクドライブ１０４や記憶手段１１０の電源を制御するよう構成しても良い。例えば、映像表示装置１５０の電源がオフである場合は、ユーザーがその場にいないと想定されるため、ハードディスクドライブ１０４を駆動する必要性は無いため、ハードディスクドライブ１０４への電源供給をオフするように構成可能である。
なお、本発明は、実施例に限らず、記録装置付き監視カメラ、映像表装置付き記録装置などの複合製品においても採用することが可能である。
【産業上の利用可能性】
【０００７】
本発明は、電子機器本体内部の機能ブロックごとに個別に電源供給する手段を有する電子機器に好適であり、更には、ＩＥＥＥ１３９４やＨＤＭＩ端子などの双方向通信機能を有する電子機器において特に好適である。
【図面の簡単な説明】
【０００８】
【図１】本発明の実施例に係る記録再生装置を表す。
【図２】本発明の実施例に係るＨＤＭＩ端子のピン配置と信号名を表す。
【図３】本発明の実施例に係る省電力モード設定フローを表す。
【図４】本発明の実施例に係る省電力モード設定画面を表す。
【図５】本発明の実施例に係る省電力モードの動作フローを表す。
【図６】従来技術に係るブロック図を表す。
【符号の説明】
【０００９】
１００ 記録再生装置
１０３  ＣＰＵ
１０５  ドライバＩＣ
１０６  蛍光表示管
１０８  ＨＤＭＩ
１０９  省電力モード設定手段
１２０  電源部
１２１  電源管理部
２０１  ホットプラグ検出端子
２０２  ＣＥＣ端子
【図３】
2009032351.tif 000003
【図５】
2009032351.tif 000004
【図１】
2009032351.tif 000005
【図２】
2009032351.tif 000006
【図４】
2009032351.tif 000007
【図６】
2009032351.tif 000008